(57)【要約】【課題】斬新な見栄えの車両用灯具を提供する。【解決手段】車両用灯具１０は、ランプボディ１２と、ランプボディ１２の前面開口部を覆う透明な前面カバー１４と、ランプボディ１２および前面カバー１４により形成された灯室１６内に設けられた灯具ユニット２０とを備える。灯具ユニット２０は、対向する第１発光面２２ａおよび第２発光面２２ｂから発光する透明有機ＥＬパネル２２と、第１発光面２２ａからの光を前方に反射する第１リフレクタ２４と、第２発光面２２ｂからの光を前方に反射する第２リフレクタ２６とを備える。【選択図】図１
2014110178.tif 000002
【特許請求の範囲】
【請求項１】
対向する第１発光面および第２発光面から発光する透明面状発光体と、
前記第１発光面からの光を前方に反射する第１リフレクタと、
前記第２発光面からの光を前方に反射する第２リフレクタと、
を備えることを特徴とする車両用灯具。
【請求項２】
前記透明面状発光体は、透明有機ＥＬパネルを備えることを特徴とする請求項１に記載の車両用灯具。
【請求項３】
前記第１リフレクタおよび／または前記第２リフレクタは、放物柱状の反射面を有することを特徴とする請求項１または２に記載の車両用灯具。
【請求項４】
前記透明面状発光体は、前記第１発光面および前記第２発光面の所定の領域を選択的に発光可能に構成されることを特徴とする請求項１から３のいずれかに記載の車両用灯具。
【発明の詳細な説明】
【技術分野】
【０００１】
本発明は、車両用灯具に関する。
【背景技術】
【０００２】
従来より、車両用灯具を薄く小型化するために、光源に面状発光体を使用した車両用灯具が提案されている（例えば特許文献１参照）。
（例えば特許文献１参照）。
【先行技術文献】
【特許文献】
【０００３】
【特許文献１】特表２０１１−１５０８８７号公報
【発明の概要】
【発明が解決しようとする課題】
【０００４】
近年、車両用灯具に関するユーザの嗜好が多様化しており、従来とは異なる斬新な見栄えの車両用灯具が求められるようになってきている。
【０００５】
本発明はこうした状況に鑑みてなされたものであり、その目的は、斬新な見栄えの車両用灯具を提供することにある。
【課題を解決するための手段】
【０００６】
上記課題を解決するために、本発明のある態様の車両用灯具は、対向する第１発光面および第２発光面から発光する透明面状発光体と、第１発光面からの光を前方に反射する第１リフレクタと、第２発光面からの光を前方に反射する第２リフレクタとを備える。
【０００７】
透明面状発光体は、透明有機ＥＬパネルを備えてもよい。
【０００８】
第１リフレクタおよび／または第２リフレクタは、放物柱状の反射面を有してもよい。
【０００９】
透明面状発光体は、第１発光面および第２発光面の所定の領域を選択的に発光可能に構成されてもよい。
【発明の効果】
【００１０】
本発明によれば、斬新な見栄えの車両用灯具を提供できる。
【図面の簡単な説明】
【００１１】
【図１】本発明の実施形態に係る車両用灯具の垂直断面図である。
【図２】灯具ユニットの斜視図である。
【図３】透明有機ＥＬパネルの構成を説明するための図である。
【図４】本発明の実施形態に係る車両用灯具の変形例を説明するための図である。
【図５】透明面状発光体として利用することのできるライトガイドを示す図である。
【発明を実施するための形態】
【００１２】
以下、図面を参照して本発明の実施形態に係る車両用灯具について詳細に説明する。
【００１３】
図１は、本発明の実施形態に係る車両用灯具１０の垂直断面図である。図１に示すように、車両用灯具１０は、ランプボディ１２と、ランプボディ１２の前面開口部を覆う透明な前面カバー１４と、ランプボディ１２および前面カバー１４により形成された灯室１６内に設けられた灯具ユニット２０とを備える。
【００１４】
図２は、灯具ユニット２０の斜視図である。図１および図２に示すように、灯具ユニット２０は、透明面状発光体としての透明有機ＥＬ（Ｅｌｅｃｔｒｏ  Ｌｕｍｉｎｅｓｃｅｎｃｅ）パネル２２と、第１リフレクタ２４と、第２リフレクタ２６と、これらの透明有機ＥＬパネル２２、第１リフレクタ２４および第２リフレクタ２６を支持する支持部材２８とを備える。
【００１５】
図３は、透明有機ＥＬパネル２２の構成を説明するための図である。図３に示すように、透明有機ＥＬパネル２２は、ガラス基板３１上に、陽極３２、正孔注入層３３、正孔輸送層３４、有機物層３５、電子輸送層３６および陰極３７を積層することで構成されている。また、透明有機ＥＬパネル２２は、陽極３２、正孔注入層３３、正孔輸送層３４、有機物層３５、電子輸送層３６、陰極３７を封止するための封止ガラス３８を備える。
【００１６】
通常の有機ＥＬパネルは、陽極３２にＩＴＯ等の透明電極を用いているが、陰極３７には金属電極を用いている。本実施形態に係る透明有機ＥＬパネル２２では、透明な有機ＥＬパネルを構成するために、陽極３２だけでなく、陰極３７にも透明電極を用いている。陰極３７は、例えば酸化インジウムスズ（ＩＴＯ）により形成されてよい。
【００１７】
図３に示す透明有機ＥＬパネル２２に電圧を印加すると、陽極３２から正孔が、陰極３７からは電子が注入され、有機物層３５でそれらが結合する際に生じるエネルギーで蛍光性有機化合物が励起され、発光する。有機物層３５で発光した光のうち陰極３７方向に向かう光は封止ガラス３８を通って外部に出射され、陽極３２方向に向かう光はガラス基板３１外部に出射される。
【００１８】
このように、透明有機ＥＬパネル２２は、対向する封止ガラス表面（「第１発光面」と呼ぶ）２２ａおよびガラス基板表面（「第２発光面」と呼ぶ）の両面から面発光するように構成されている。また、透明有機ＥＬパネル２２は、陰極３７として透明電極を用いているため、透明である。
【００１９】
再び図１および図２に戻り、第１リフレクタ２４および第２リフレクタ２６について説明する。第１リフレクタ２４および第２リフレクタ２６は、図１および図２に示すように、放物柱面状の第１反射面２４ａおよび第２反射面２６ａを有する。図１に示すように、第１反射面２４ａおよび第２反射面２６ａの延設方向に垂直な断面は、放物線状である。
【００２０】
第１リフレクタ２４は、第１反射面２４ａが透明有機ＥＬパネル２２の第１発光面２２ａの上方を覆うように配置される。また、第２リフレクタ２６は、第２反射面２６ａが透明有機ＥＬパネル２２の第２発光面２２ｂの下方を覆うように配置される。第１リフレクタ２４および第２リフレクタ２６は、透明有機ＥＬパネル２２を間に挟んで、第１反射面２４ａと第２反射面２６ａが向かい合うように配置されている。
【００２１】
図１に示すように、透明有機ＥＬパネル２２の第１発光面２２ａからの光は、第１発光面２２ａで灯具前方に反射され、第２発光面２２ｂからの光は、第２発光面２２ｂで灯具前方に反射される。本実施形態では、第１リフレクタ２４の第１反射面２４ａおよび第２リフレクタ２６の第２反射面２６ａを放物柱面状に形成したことにより、第１発光面２２ａおよび第２発光面２２ｂで面発光した光は、第１反射面２４ａおよび第２反射面２６ａで平行光として反射される。
【００２２】
上記のように構成された車両用灯具１０は、透明有機ＥＬパネル２２を光源として用いたので、光源の存在が分かりにくい。光源が存在せずに、第１リフレクタ２４の第１反射面２４ａおよび第２リフレクタ２６の第２反射面２６ａが均一に発光しているかのような光り方を実現することができる。従って、本実施形態に係る車両用灯具１０によれば、従来にはない斬新な見栄えを提供できる。
【００２３】
本実施形態においては、透明有機ＥＬパネルを用いることにより、１枚の有機ＥＬパネルで両面発光の光源を構成している。これにより、例えば２枚の有機ＥＬパネルを貼り合わせて両面発光の光源を構成した場合と比較して、小型化、軽量化、および低コスト化を図ることができる。
【００２４】
図４は、本発明の実施形態に係る車両用灯具の変形例を説明するための図である。図４に示すように、透明有機ＥＬパネル２２は、第１発光面２２ａおよび第２発光面２２ｂの所定の領域４０を選択的に発光可能に構成されてもよい。図４は、領域４０を複数のライン状領域に形成した例を示す。このように、第１発光面２２ａおよび第２発光面２２ｂの全面を発光させるのではなく、所定の領域４０を選択的に発光させることにより、何もない第１反射面２４ａおよび第２反射面２６ａから領域４０の形状に対応した模様が浮かび上がるような発光を実現できる。このように、本変形例に係る車両用灯具によれば、第１反射面２４ａおよび第２反射面２６ａの光り方にアクセントをつけることができ、斬新な見栄えを提供できる。
【００２５】
図４に示す車両用灯具において、一部の領域４０をテールランプ用の光源とし、別の一部の領域４０をストップランプ用の光源とし、さらに別の一部の領域４０をターンシグナルランプ用の光源としてもよい。この場合、１枚の透明有機ＥＬパネル２２を複数のランプの光源として用いることができる。その結果、例えばリアコンビネーションランプの小型化を実現できる。
【００２６】
上述の実施形態では、透明面状発光体として透明有機ＥＬパネルを用いたが、透明面状発光体は透明有機ＥＬパネルに限定されない。図５は、透明面状発光体として利用することのできるライトガイドを示す。図５に示すライトガイド５０は、パネル状に形成されている。ライトガイド５０は、光源としてのＬＥＤ５２からの光を側面から受け、内部で反射を繰り返しながら導光するものである。ライトガイド５０の上下両面に光を外部に出射するための溝部５４が形成されている。図５に示すようなライトガイド５０を透明有機ＥＬパネル２２と置き換えて、図１に示すような車両用灯具１０を構成してもよい。
【００２７】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００２８】
１０  車両用灯具、  １２  ランプボディ、  １４  前面カバー、  ２０  灯具ユニット、  ２２  透明有機ＥＬパネル、  ２４  第１リフレクタ、  ２６  第２リフレクタ、  ２８  支持部材、  ３１  ガラス基板、  ３２  陽極、  ３３  正孔注入層、  ３４  正孔輸送層、  ３５  有機物層、  ３６  電子輸送層、  ３７  陰極、  ３８  封止ガラス、  ５０  ライトガイド。
【図１】
2014110178.tif 000003
【図２】
2014110178.tif 000004
【図３】
2014110178.tif 000005
【図４】
2014110178.tif 000006
【図５】
2014110178.tif 000007